(57)【要約】  【課題】  大量の写真画像を一まとめにしてインデックスプリントおよびアルバムの機能を兼ね備え、携帯性や保管性に秀れ、大量の画像を効率的且つ経済的に整理可能とする新たなアルバム技術を提供する。  【解決手段】  ページ紙２０単位プリント領域３に、複数個のアルバム機能限界サイズの小画像群４０が割り振られた小画像群表示領域４を設け、該小画像４１の名称５０が表示される小画像名表示領域５を確保するようプリントして単位プリント面３０とし、当該画像ファイルの順番どおりに繋がる単位ページ紙２１に整頓し、全ての単位プリント面３０が谷折り２４構造で連続状に連なるものとしたワンセット単位ページ紙２６を有したアルバム本体１１とし、表表紙７０、背表紙７１、裏表紙７２一体型の装丁紙７が装着、一体化されてなるプリント発注用インデックス兼用アルバム１である。【選択図】    図４
2010072601.tif 000002
【特許請求の範囲】
【請求項１】
断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該デジタル画像ファイルの記録順序に従って均等駒割り配置となる小画像群表示領域に割り振られ、それら小画像群表示領域内の小画像個々に夫々近接する適所には、該当小画像の名称が表示される小画像名表示領域を確保するようにプリントして単位プリント面とし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してワンセット単位ページ紙とし、それら全ての単位ページ紙は、その単位プリント面毎に谷折り構造になるようにすると共に、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるアルバム本体とし、該アルバム本体の両がわに裏面のまま残る二面とその間で寄せ集め状となった谷折り線部分外がわとに、表表紙、背表紙、裏表紙一体型の装丁紙が貼着、一体化されてなるものとしたことを特徴とするプリント発注用インデックス兼用アルバム。
【請求項２】
断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、デジタル信号用記録メディアや、それ以外のデジタル信号用記録装置を付属した機器類などに記録されている複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該記録メディアの記録順序に従って順次縦横何れか一方に行列状の配列となる、均等駒割り配置となる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称が表示される小画像名表示領域を確保するようにプリントして単位プリント面とし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してワンセット単位ページ紙とし、それら全ての単位ページ紙は、その単位プリント面毎に谷折り構造になるようにすると共に、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるアルバム本体とし、該アルバム本体の両がわに裏面のまま残る二面とその間で寄せ集め状となった谷折り線部分外がわとに、表表紙、背表紙、裏表紙一体型の装丁紙が貼着、一体化されてなるものとしたことを特徴とするプリント発注用インデックス兼用アルバム。
【請求項３】
アルバム本体の縦寸法が１５０ｍｍないし１５５ｍｍ、横寸法を１５０ｍｍないし１５５ｍｍに設定されてなるものとした、請求項１記載のプリント発注用インデックス兼用アルバム。
【請求項４】
ページ紙が、断面Ｖ字型の折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域と、該プリント用紙の断面Ｖ字型の折畳み型にしたときの山折り線を境として隣り合うこととなる２面分を単位プリント領域とするようにした少なくとも１単位プリント領域とを有するものとして、表裏面双方の合計４面分を単位プリント領域となるものとした、請求項１または２何れか一項記載のプリント発注用インデックス兼用アルバム。
【請求項５】
アルバム本体か、装丁紙かの何れか一方適所に収容部を一体化形成し、該収容部に、デジタル信号用記録メディアや、それ以外のデジタル信号用記録装置を付属した機器類などに記録された複数個のデジタル画像ファイルを、該アルバム本体全ページ紙単位プリント領域にプリントされた各小画像と、それら小画像個々に割り当てた小画像名表示領域にプリントされた名称とに一致するデジタル画像ファイル群として一括記録した付録用記録メディアを収容してなるものとした、請求項１ないし３何れか一項記載のプリント発注用インデックス兼用アルバム。
【請求項６】
アルバム本体か、装丁紙かの何れか一方適所に形成した収容部には、付録用記録メディアと共に、矩形状の紙製であって各小画像名表示領域に表示の名称毎に、プリントサイズおよび注文枚数が記入可能な注文欄の表示されてなるプリント注文表を組み合わせたものとするよう、収容してなるものとした、請求項５記載のプリント発注用インデックス兼用アルバム。
【請求項７】
写真店は顧客が店頭に持ち込むデジタル信号用記録メディアや、それ以外のデジタル信号用記録装置を付属した機器類などから、複数個のデジタル画像ファイルを電子的に読み取り、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該デジタル画像ファイルの記録順序に従って均等駒割り配置となる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称がプリント表示される小画像名表示領域を確保するようにプリント表示されて単位プリント面とし、最初の該単位プリント面に収めきれなかった残りのデジタル画像ファイルがあれば、順次新たな単位プリント面を用意してプリント表示するようにして全てのデジタル画像ファイルが、その順番どおりに行列状の配列をなして小画像が繋がる１単位プリント面または複数単位プリント面からなるものとし、それら１単位プリント面からなる単位ページ紙か、複数単位プリント面からなる単位ページ紙か、あるいはその組合せからなる単位ページ紙かの何れかの１枚または複数枚の単位ページ紙で対象デジタル画像ファイル全てを記録順序どおりにプリントアウトしたワンセット単位ページ紙とし、それらの中に複数単位プリント面からなる単位ページ紙を含む場合には、プリント面がわに山折りとする箇所の裏面同士を予め貼り合わせてしまい、谷折りとした単位プリント面が連続状に連なるものとした上、ワンセット単位ページ紙を構成する１枚または複数枚の単位ページ紙の全てが、断面Ｖ字型か、その連続型かの何れかに折り畳まれ、記録順序に従って順次隣接状のものとしながら、互いに対峙する裏面同士を貼り合わせていって最終的に全ての単位ページ紙が断面Ｖ字型の連続型で連なるアルバム本体とし、該アルバム本体の両がわに裏面のまま残る二面とその間で寄せ集め状となった谷折り線部分外がわとに、表表紙、背表紙、裏表紙一体型の装丁紙を貼着、一体化するようにした、請求項１ないし５何れか一項記載のプリント発注用インデックス兼用アルバムの作製方法。
【請求項８】
写真店は顧客が店頭に持ち込むデジタル信号用記録メディアや、それ以外のデジタル信号用記録装置を付属した機器類などから、複数個のデジタル画像ファイルを電子的に読み取り、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、当該複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像となり、且つそれらは当該記録メディアの記録順序に従って順次縦横何れか一方に行列状の配列となる、所定個数で均等駒割り配置とされる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称がプリント表示される小画像名表示領域を確保するようにプリント表示されて単位プリント面とし、最初の該単位プリント面に収めきれなかった残りのデジタル画像ファイルがあれば、順次新たな単位プリント面を用意してプリント表示するようにして全てのデジタル画像ファイルが、その順番どおりに行列状の配列をなして小画像が繋がる１単位プリント面または複数単位プリント面からなるものとし、それら１単位プリント面からなる単位ページ紙か、複数単位プリント面からなる単位ページ紙か、あるいはその組合せからなる単位ページ紙かの何れかの１枚または複数枚の単位ページ紙で対象デジタル画像ファイル全てを記録順序通りにプリントアウトしたワンセット単位ページ紙とし、それらの中に複数単位プリント面からなる単位ページ紙を含む場合には、プリント面がわに山折りとする箇所の裏面同士を予め貼り合わせてしまい、谷折りとした単位プリント面が連続状に連なるものとした後、ワンセット単位ページ紙を構成する１枚または複数枚の単位ページ紙の全てが、断面Ｖ字型か、その連続型かの何れかに折り畳まれ、記録順序に従って順次隣接状のものとしながら、互いに対峙する裏面同士を貼り合わせていって最終的に全ての単位ページ紙が断面Ｖ字型の連続型で連なるアルバム本体とし、該アルバム本体の両がわに裏面のまま残る二面とその間で寄せ集め状となった谷折り線部分外がわとに、表表紙、背表紙、裏表紙一体型の装丁紙を貼着、一体化した上、該アルバム本体か、装丁紙かの何れか一方適所に収容部を一体化形成し、該収容部に、当該デジタル信号用記録メディアや、それ以外のデジタル信号用記録装置を付属した機器類などに記録された複数個のデジタル画像ファイルに基づき、該アルバム本体全ページ紙単位プリント領域にプリントされた各小画像と、それら小画像個々に割り当てた小画像名表示領域にプリントされた名称とに一致するデジタル画像ファイル群を一括記録した付録用記録メディア、および、矩形状の紙製であって各小画像名表示領��に表示の名称毎に、プリントサイズおよび注文枚数が記入可能な注文欄の表示されてなるプリント注文表を組み合わせたものとするよう収容、添付されたものとして完成したプリント発注用インデックス兼用アルバムを当該顧客に提供し、該顧客がプリント発注用インデックス兼用アルバムの各小画像ならびに各小画像に対応する各名称に基づき、プリント注文表に記入し、当該付録用記録メディアに該プリント注文表を添付して写真店にプリント依頼可能とするようにした、請求項５または６何れか一項記載のプリント発注用インデックス兼用アルバムの使用方法。                                                                                                                  
【発明の詳細な説明】
【技術分野】
【０００１】
この発明は、写真プリントの発注に用いられる写真一覧プリントである所謂インデックスプリント、およびアルバムプリントなどに関するものであり、プリント発注用となるインデックスを兼用可能なアルバムを製造、販売、および利用する分野は勿論のこと、その輸送、保管および販売に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                            
【背景技術】
【０００２】
（着目点）
カメラ用フィルムは、フィルムカメラによる撮影が終了した後、画像の劣化が起こる前になるべく早く写真店に持ち込み、現像してしまう必要があり、一般には、現像と同時に見本となるサービスサイズなどのプリントを注文して簡易的なアルバムに差し、集合写真などの注文枚数を集計した後に、個々の写真に対応するフィルム駒番号毎のプリント枚数をフィルムシート（１本分の現像、裁断したフィルムをまとめて収容し、蛇腹状に折り畳める透明樹脂袋）に直接記入して注文するというものであったが、特にネガフィルムは、撮影画像の色や明るさが逆転しているという性質上、画像の確認が難しく、不慣れな利用者の場合には、駒番号を間違えてプリント注文してしまう可能性がポジフィルムよりも高くなり、不都合を来していた。
こうした不都合を解消しようとして、現在ではネガフィルム１本分の全駒が駒番号順に並ぶよう、１枚のパノラマサイズ（２５４ｍｍ×８９ｍｍ）などのプリント用紙にプリントしてなる、所謂インデックスプリントの提供が行われるようになっている。
【０００３】
このような撮影後の複数画像を一度に確認するのが難しいという欠点は、ネガフィルムだけに留まらず、現像後もフィルムケース（所謂カートリッジ）の形で保存されるＡＰＳフィルムでも同様であり、さらに、現在急速に普及しているデジタルカメラやカメラ付き携帯電話の各種デジタル信号用記録メディア、または、それ以外のデジタル信号用記録装置を付属した機器類などに記録されている複数個のデジタル画像ファイルなどに至っては、プリントまたは専用の再生機器がなければ記録されている画像を全く確認できないという新たな不都合を生じてきており、その中でも各種デジタル信号用記録メディアは、非常に小型化されていながら、その画像記録容量においては従前からの各種フィルムを遙かに凌ぎ、しかも記録画像を確認して不要なものをその場で削除し、何度でも撮影、記録することができるという、従来からのフィルムとは全く異なる概念の記録媒体へと進化していて、現像の手間や経済的負担を虞ずに沢山撮影、記録することができるという、これまでにはなかった利便性を発揮してはいるものの、そうして撮り貯められた大量の画像を効率的に管理していく上では、従前までのフィルム以上にインデックスプリントが必要不可欠なものとなってきている。
【０００４】
このように大量の画像を整理するのに便利なインデックスプリントは、その目的から経済性と収納性とを重視したものとなっており、特に各種現像済みフィルムや各種デジタル信号用記録メディアなどの軽くて小さな記録媒体と共に保管するのに適するよう、例えば前記パノラマサイズ中に４０駒前後の画像をプリントするようにしたものなどを見受けるが、それらは、携帯性を重視すると画像が小さくなり過ぎてしまい、また、映像を重視してコマ寸法を大きくしてしまうと、今度はプリント枚数を増やすこととなってインデックスプリントとしての機能が薄らいでしまい、取り扱いが極めて煩雑になってしまうという欠点があった。
【０００５】
（従来の技術）
こうした状況を憂慮し、例えば、下記の特許文献１（１）に提案されているものに代表されるように、ロール状の感光材料を個片に切断する切断工程、個片の感光材料に画像を露光、現像して写真プリントを作成する露光・現像工程、写真プリントの周縁部の所定の位置に１以上の穴をあける穴あけ工程、および、上記穴にリング状や螺旋状の綴じ具を通して複数の写真プリントを束ねる綴じ込み工程とを順次行うものとしたプリント生産方法であって、複数の写真プリントを容易に脱離しないように束ねた写真アルバムとして提供し、特にデジタルカメラなどで撮影した写真のように写真プリントの枚数が多くなる場合の取り扱い性や携帯性を向上させるようにしたものや、同特許文献１（２）に見られるような、ＣＤケースの中にＣＤや写真、書類を入れることができる収納袋を背貼りまたはジャバラ状につなげたアルバムをケースに貼り付けた状態、または入れ出しが可能な状態にして収納可能とし、ＣＤの記録内容がアルバムを見ることによって一目瞭然となり、写真保存用ＣＤを保管する場合には、プリントしたインデックス写真も同一ケースに入れることができ、ＣＤに記録されている全ての写真を、パソコンなどの再生機器類を使用しないで簡便に確認できるようにしたものなど、幾つかの提案が散見される。
【０００６】
しかし、前者のように写真プリントの複数枚をアルバム状にまとめたものは、各頁に１駒または複数駒の写真プリントがなされたものであり、必要に応じて１頁または複数頁のインデックスプリントを含めて束ねたものとしていて、顧客にとっては、通常の写真プリントに加え、さらにインデックスプリントを追加したものとなってしまい、インデックスプリントだけが必要な顧客にとっては経済的負担が大き過ぎ、また、Ｌ版やＬ版の１／２サイズの写真プリントは、束ねて収納および携帯できる厚みに限度があり、１００枚以上をリング状あるいは螺旋状の綴じ具やそれ以外のバインダーなどの金具類を用いて綴じるといったことは殆ど不可能であるばかりではなく、各頁毎の外周縁適所に必ず綴じ合わせ用や孔開け用のための余白が必要となり、その分だけプリント用紙を大きく設定しなければならないこととなり、しかも、それら綴じ具類が、写真アルバムの最大厚み部分を形成してしまい、保管性や取扱い性、特に本棚に立てて収納したりする場合には倒れて易くなり、引き出しや収納箱内に積み重ねて収納する場合にも崩れ易いなどという問題を生ずるものとなっていた。
【０００７】
そして、後者のように、ＣＤケースの中に写真用の収納袋をまとめたアルバムを貼り付けたものや、これらアルバムを出し入れ可能としたものなどは、各アルバム毎に必ず１個以上のＣＤケースが必要となり、紙だけからなるアルバムに比較して高価なものとなり易く、収納されるアルバムのサイズに比較して大型化して嵩張り、収納性や携帯性を悪化させてしまう虞があるという欠点があった。                                                                                        
【特許文献１】（１）特開２００５−１０２４７号公報    （２）特開２００５−１１２４６３号公報
【発明の開示】
【発明が解決しようとする課題】
【０００８】
（問題意識）
上述したとおり、従前までに提案のある各種写真プリントの複数枚をアルバム状にまとめたものや、プラスチック製のハードケースなどに収納したアルバムなどは、何れもプリント写真に加えて駒番号などがプリントされたインデックスプリントを追加するようにしなければ、アルバムに添付または同時提供されるＣＤなどの記録メディアに記録されたデジタル画像ファイルの画像とファイル名との関係を把握することができないという欠点を有しており、ネガフィルム、ＡＰＳフィルム、および各種デジタル信号用記録メディアや、それ以外のデジタル信号用記録装置を付属した機器類などから読み取り、複写したＣＤやＤＶＤなどの記録メディアに記録されている多数のデジタル画像ファイルの内容を、デジタル機器類などを使用せず簡単に確認するには、やはりインデックスプリントが不可欠になることに替わりなかった。
【０００９】
しかも、こうしたアルバム類は、画像データを編集して自分で好きなようにレイアウトするデザインアルバムや、１頁に画像を一駒づつプリントした１駒アルバム、予め決められたテンプレートに顧客が選んだ写真画像を填め込むテンプレートアルバムなど、既に様々なものが市販されているが、何れの場合にも、始めに画像を確認できる端末機器を利用するか、またはインデックスプリントを作製するかしなければならず、端末機器の利用できるときは、それに映し出された画像から、あるいはインデックスプリントを作製してあるときには、それを参考に顧客が好みの写真画像を選択してから、写真店にそれら目的の写真によるアルバムの注文をするというのが一般的であり、特に、多数のデジタル画像ファイルとして撮り貯めた写真からのアルバムとするには、当然その費用の点を考慮しない訳にはいかず、顧客は、インデックスプリントか、もしくは通常の写真プリントなどを見ながらの画像かの何れかに依って写真を選択した上、それに基づいて写真店が編集、作製するという手順を辿って相当の時間と労力とを費やし、それでも、結局それ相応の費用を要することとなってしまい、ましてや撮り貯めた大量の思い出多い写真の全てを気軽にプリントするなどということは、殆どの人々にとって不可能になってしまっているというのが実情である。
【００１０】
これまでのように従来型のインデックスプリントや通常のプリント写真およびアルバムなどでは、デジタルカメラやカメラ付き携帯電話などを利用して沢山の写真を撮り過ぎてしまい、記録メディアに保存されたままプリントされることなく、整理できなくなってしまったり、沢山保存されている画像の中からプリントする写真を選ぶのが難しかったり、選び出す作業が面倒になってしまったり、撮り貯めた沢山の画像をプリントするのに要する費用や写真プリントの整理に時間や労力を割きたくないため、プリントを先延ばしにして益々写真画像が蓄積されてしまい、さらに整理できなくなるなど、全く手に負えなくなってしまった人々や、撮り貯めた画像には思い出があって消去できないので残しておきたいが、プリントするまでもないというような中途半端な画像が、積もるように貯まってゆくという人、または、全ての画像を標準的な保存形態に揃えてコンパクトに整理、保存したいと希望する人々など、多くの人々が抱える課題に的確に答えることができず、こうした顧客に日々接している写真店や写真プリント工場にあっても、このような課題を解決する技術については未だ存在しないという状況にある。
【００１１】
（発明の目的）
そこで、この発明は、大量の写真画像を一まとめにしてインデックスプリントの機能を発揮できると共に、各画像の細部まで十分に鑑賞でき、アルバムの機能をも兼ね備えている上、携帯性や保管性にも秀れ、大量の画像を効率的且つ経済的に整理可能とすることができる新たなアルバム技術の開発はできないものかとの判断から、逸速くその開発、研究に着手し、長期に渡る試行錯誤と幾多の試作、実験とを繰り返してきた結果、今回、遂に新規な構造のプリント発注用インデックス兼用アルバム、およびその新規な作製方法を実現化することに成功したものであり、以下では、図面に示すこの発明を代表する実施例と共に、その構成を詳述することとする。                                                                                      
【課題を解決するための手段】
【００１２】
（発明の構成）
図面に示してあるこの発明を代表する実施例からも明確に理解されるように、この発明のプリント発注用インデックス兼用アルバムは、基本的に次のような構成から成り立っている。
即ち、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該デジタル画像ファイルの記録順序に従って均等駒割り配置となる小画像群表示領域に割り振られ、それら小画像群表示領域内の小画像個々に夫々近接する適所には、該当小画像の名称が表示される小画像名表示領域を確保するようにプリントして単位プリント面とし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してワンセット単位ページ紙とし、それら全ての単位ページ紙は、その単位プリント面毎に谷折り構造になるようにすると共に、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるアルバム本体とし、該アルバム本体の両がわに裏面のまま残る二面とその間で寄せ集め状となった谷折り線部分外がわとに、表表紙、背表紙、裏表紙一体型の装丁紙が貼着、一体化されてなるものとした構成を要旨とするプリント発注用インデックス兼用アルバムである。
【００１３】
これを、より具体的なものとして示すと、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、デジタル信号用記録メディアや、それ以外のデジタル信号用記録装置を付属した機器類などに記録されている複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該記録メディアの記録順序に従って順次縦横何れか一方に行列状の配列となる、均等駒割り配置となる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称が表示される小画像名表示領域を確保するようにプリントして単位プリント面とし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してワンセット単位ページ紙とし、それら全ての単位ページ紙は、その単位プリント面毎に谷折り構造になるようにすると共に、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるアルバム本体とし、該アルバム本体の両がわに裏面のまま残る二面とその間で寄せ集め状となった谷折り線部分外がわとに、表表紙、背表紙、裏表紙一体型の装丁紙が貼着、一体化されてなるものとした構成を要旨とするプリント発注用インデックス兼用アルバムということができる。
【００１４】
（関連する発明１）
上記したプリント発注用インデックス兼用アルバムに関連し、この発明には、その作製方法も包含される。
即ち、写真店は顧客が店頭に持ち込むデジタル信号用記録メディアや、それ以外のデジタル信号用記録装置を付属した機器類などから、複数個のデジタル画像ファイルを電子的に読み取り、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像群となり、且つそれらは当該デジタル画像ファイルの記録順序に従って均等駒割り配置となる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称がプリント表示される小画像名表示領域を確保するようにプリント表示されて単位プリント面とし、最初の該単位プリント面に収めきれなかった残りのデジタル画像ファイルがあれば、順次新たな単位プリント面を用意してプリント表示するようにして全てのデジタル画像ファイルが、その順番どおりに行列状の配列をなして小画像が繋がる１単位プリント面または複数単位プリント面からなるものとし、それら１単位プリント面からなる単位ページ紙か、複数単位プリント面からなる単位ページ紙か、あるいはその組合せからなる単位ページ紙かの何れかの１枚または複数枚の単位ページ紙で対象デジタル画像ファイル全てを記録順序どおりにプリントアウトしたワンセット単位ページ紙とし、それらの中に複数単位プリント面からなる単位ページ紙を含む場合には、プリント面がわに山折りとする箇所の裏面同士を予め貼り合わせてしまい、谷折りとした単位プリント面が連続状に連なるものとした上、ワンセット単位ページ紙を構成する１枚または複数枚の単位ページ紙の全てが、断面Ｖ字型か、その連続型かの何れかに折り畳まれ、記録順序に従って順次隣接状のものとしながら、互いに対峙する裏面同士を貼り合わせていって最終的に全ての単位ページ紙が断面Ｖ字型の連続型で連なるアルバム本体とし、該アルバム本体の両がわに裏面のまま残る二面とその間で寄せ集め状となった谷折り線部分外がわとに、表表紙、背表紙、裏表紙一体型の装丁紙を貼着、一体化するようにした、この発明の基本をなす記載プリント発注用インデックス兼用アルバムの作製方法である。
【００１５】
（関連する発明２）
さらには、上記までのプリント発注用インデックス兼用アルバム、ならびにその作製方法に関連し、この発明は、その使用方法も包含している。
即ち、写真店は顧客が店頭に持ち込むデジタル信号用記録メディアや、それ以外のデジタル信号用記録装置を付属した機器類などから、複数個のデジタル画像ファイルを電子的に読み取り、断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、当該複数個のデジタル画像ファイルが、互いに同一な縦横寸法に伸縮調整して２０×３３ないし４０×５０ｍｍの同一サイズであって、単位プリント領域内に均等駒割り配置可能とする１８個ないし４０個内の何れか所定個数となるよう規制したアルバム機能限界サイズの小画像となり、且つそれらは当該記録メディアの記録順序に従って順次縦横何れか一方に行列状の配列となる、所定個数で均等駒割り配置とされる小画像群表示領域に割り振られ、それら小画像群表示領域内の小画像個々に夫々近接する適所には、該当小画像の基となる記録メディアに記録されたデジタル画像ファイルのファイル名と同一名称か、またはそれに関連づけた名称かの何れか一方の名称がプリント表示される小画像名表示領域を確保するようにプリント表示されて単位プリント面とし、最初の該単位プリント面に収めきれなかった残りのデジタル画像ファイルがあれば、順次新たな単位プリント面を用意してプリント表示するようにして全てのデジタル画像ファイルが、その順番どおりに行列状の配列をなして小画像が繋がる１単位プリント面または複数単位プリント面からなるものとし、それら１単位プリント面からなる単位ページ紙か、複数単位プリント面からなる単位ページ紙か、あるいはその組合せからなる単位ページ紙かの何れかの１枚または複数枚の単位ページ紙で対象デジタル画像ファイル全てを記録順序通りにプリントアウトしたワンセット単位ページ紙とし、それらの中に複数単位プリント面からなる単位ページ紙を含む場合には、プリント面がわに山折りとする箇所の裏面同士を予め貼り合わせてしまい、谷折りとした単位プリント面が連続状に連なるものとした後、ワンセット単位ページ紙を構成する１枚または複数枚の単位ページ紙の全てが、断面Ｖ字型か、その連続型かの何れかに折り畳まれ、記録順序に従って順次隣接状のものとしながら、互いに対峙する裏面同士を貼り合わせていって最終的に全ての単位ページ紙が断面Ｖ字型の連続型で連なるアルバム本体とし、該アルバム本体の両がわに裏面のまま残る二面とその間で寄せ集め状となった谷折り線部分外がわとに、表表紙、背表紙、裏表紙一体型の装丁紙を貼着、一体化した上、該アルバム本体か、装丁紙かの何れか一方適所に収容部を一体化形成し、該収容部に、当該デジタル信号用記録メディアや、それ以外のデジタル信号用記録装置を付属した機器類などに記録された複数個のデジタル画像ファイルに基づき、該アルバム本体全ページ紙単位プリント領域にプリントされた各小画像と、それら小画像個々に割り当てた小画像名表示領域にプリントされた名称とに一致するデジタル画像ファイル群を一括記録した付録用記録メディア、および、矩形状の紙製であって各小画像名��示領域に表示の名称毎に、プリントサイズおよび注文枚数が記入可能な注文欄の表示されてなるプリント注文表を組み合わせたものとするよう収容、添付されたものとして完成したプリント発注用インデックス兼用アルバムを当該顧客に提供し、該顧客がプリント発注用インデックス兼用アルバムの各小画像ならびに各小画像に対応する各名称に基づき、プリント注文表に記入し、当該付録用記録メディアに該プリント注文表を添付して写真店にプリント依頼可能とするようにした、この発明の基本をなす前記の何れかに記載のプリント発注用インデックス兼用アルバムの使用方法である。                                                  
【発明の効果】
【００１６】
以上のとおり、この発明のプリント発注用インデックス兼用アルバムによれば、従前までは、フィルムやデジタル信号用記録メディアなどの形で大量に蓄積された画像を経済的且つ鑑賞し易い形で整理、保管しようとする場合には、一般に、始めにインデックスプリントを作製し、そのインデックスプリントを参照しながらプリントする画像を厳選した上、写真プリントやアルバムプリントなどを注文、作製することとなるが、近年のデジタル信号用記録メディアなどは、特にその記憶容量が大きくなり、５００〜１０００駒程度の画像を記録できるものもあって、顧客の立場としては、一覧写真としての単機能しか果たさないインデックスプリントの作製に、相当の経費を費やしてしまうことに躊躇せざるを得なくなっていて、写真店へのプリント依頼そのものが減少しているというのが実情であると言わざるを得ず、こうした課題を解決するインデックスプリントやアルバム類は未だ開発されていなかったが、上記したとおりの断面Ｖ字型か、その連続型かの何れか一つの折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域を有する平坦なページ紙に対し、プリント用紙からなるページ紙の単位プリント領域内に、複数個のデジタル画像ファイルが、その記録順序に従って２０×３３ないし４０×５０ｍｍの同一サイズでアルバム機能限界サイズの小画像群となるよう、所定個数の均等駒割り配置となる小画像群表示領域に割り振られ、各小画像個々の近接適所に、該当小画像の名称が表示される小画像名表示領域を確保するようにプリントして単位プリント面とし、当該画像ファイルの順番どおりに繋がる１枚または複数枚の単位ページ紙に整頓し、全ての単位プリント面が谷折り構造で連続状に連なるものとされたワンセット単位ページ紙とし、全ての単位ページ紙が、谷折り構造とした単位プリント面で連続状に連なるアルバム本体とし、表表紙、背表紙、裏表紙一体型の装丁紙が装着、一体化されてなるものとし、大量の写真画像を所定の順番どおりに整頓された小画像群の形で一まとめに表示し、インデックスプリントの機能を発揮できると共に、アルバム機能限界サイズに設定された各小画像が、その細部まで十分に鑑賞でき、アルバムとしての機能をも兼ね備えている上、特にカメラ付き携帯電話によって撮影された解像度の低い画像などは反って、通常の写真プリントよりも最適で違和感のない画質にプリントされることとなり、しかも実質的に１枚か、または複数枚かの何れかの、折り畳まれたプリント用紙、およびそれらを外装する装丁紙を貼り合わせてなり、バインダーなどの金具類による出っ張りが無く、携帯性や集積、保管性にも秀れ、大量の画像を効率的且つ経済的に整理可能とすることができるという秀れた特徴が得られるものである。
【００１７】
加えて、当該プリント発注用インデックス兼用アルバムにプリントするデジタル画像ファイルが、デジタル信号用記録メディアや、それ以外のデジタル信号用記録装置を付属した機器類などに記録されている複数個のデジタル画像ファイルであって、ページ紙の単位プリント面に確保した小画像名表示領域にプリント表示した名称を、当該記録メディアに記録されたデジタル画像ファイルのファイル名と同一名称か、またはそれに関連づけた名称かの何れか一方の名称に設定した場合に、当該プリント発注用インデックス兼用アルバムは、既存のデジタル信号用記録メディアや、それ以外のデジタル信号用記録装置を付属した機器類などに記録されている複数個のデジタル画像ファイル、または、それらの中の何れかをコピーした複数個のデジタル画像ファイルを対象とする、アルバム型のインデックスプリントとしての役割を果たすものとなり、当該プリント発注用インデックス兼用アルバムを製造する場合にも、デジタル信号用記録メディアや、それ以外のデジタル信号用記録装置を付属した機器類などに記録されている複数個のデジタル画像ファイルを読み出し、記録されている順番通りに、そのままプリントすればよく、デジタル画像ファイルの整理、整頓作業が不要となり、非常に効率的であって、プリント時間を大幅に削減して短時間の中に作製できるという利点が得られることとなる。
【００１８】
そして、アルバム本体の縦寸法が１５０ｍｍないし１５５ｍｍ、横寸法を１５０ｍｍないし１５５ｍｍに設定されてなるものとした場合には、ＤＶＤ（ｄｉｇｉｔａｌ  ｖｅｒｓａｔｉｌｅ  ｄｉｓｃ）やＣＤ−ＲＯＭ（ｃｏｍｐａｃｔ  ｄｉｓｃ  ｒｅａｄ  ｏｎｌｙ  ｍｅｍｏｒｙ）、ＣＤ−ＲＷ（ｃｏｍｐａｃｔ  ｄｉｓｃ  ｒｅｗｒｉｔａｂｌｅ）などのプラスチックケースなどと略同等の寸法サイズとなり、携帯性や集積、収納性に秀れ、本棚やラック、収納箱、引き出しなどに、ＤＶＤケース（１２５ｍｍ×１９０ｍｍ）やＣＤケース（１４０ｍｍ×１２５ｍｍ）および文庫本（１０５ｍｍ×１４８ｍｍ）などの他のものと一緒に、効率的な整理、収納が可能になるという大きな効果を発揮することになる。
【００１９】
また、ページ紙が、断面Ｖ字型の折畳み型に折り畳み可能とするサイズのプリント用紙で、それらの中の所定折畳み型にしたときの谷折り線を境として隣り合うこととなる２面分を単位プリント領域とするようにした少なくとも１単位プリント領域と、該プリント用紙の断面Ｖ字型の折畳み型にしたときの山折り線を境として隣り合うこととなる２面分を単位プリント領域とするようにした少なくとも１単位プリント領域とを有するものとして、表裏面双方の合計４面分を単位プリント領域となるものとした場合には、ページ紙の表裏面双方に小画像群が表示されるものとなり、同一サイズのプリント発注用インデックス兼用アルバムであれば、より多くの小画像を効率的且つ高密度に表示することができ、一段と薄型化、軽量化して収納スペースを各段に削減できるという効果を発揮するものとなる。
【００２０】
さらに、アルバム本体か、装丁紙かの何れか一方適所に収容部を一体化形成し、該収容部に、デジタル信号用記録メディアや、それ以外のデジタル信号用記録装置を付属した機器類などに記録された複数個のデジタル画像ファイルを、該アルバム本体全ページ紙単位プリント領域にプリントされた各小画像と、それら小画像個々に割り当てた小画像名表示領域にプリントされた名称とに一致するデジタル画像ファイル群として一括記録した付録用記録メディアを収容してなるものでは、該付録用記録メディアがバックアップとなり、既存のデジタル信号用記録メディアや、それ以外のデジタル信号用記録装置を付属した機器類などに記録されたデジタル画像ファイルが破損または消失してしまったときにも安全に保存することができ、同付録用記録メディアをアルバム本体と共に保管しておくことにより、長期保管した後であっても小画像のデジタル画像ファイルを簡単且つ迅速に探し出すことができるようになるという利点が得られる。
【００２１】
そして、アルバム本体か、装丁紙かの何れか一方適所に形成した収容部には、付録用記録メディアと共に、矩形状の紙製であって各小画像名表示領域に表示の名称毎に、プリントサイズおよび注文枚数が記入可能な注文欄の表示されたプリント注文表を組み合わせたものとするよう収容したものは、アルバムおよびインデックスプリントの役目を果たすアルバム本体を鑑賞し、小画像群中の集合写真のプリントや大きなサイズへの引き延ばしプリント、または、本格的なデザインアルバムなどを写真店に注文したくなったときに、当該プリント注文表の注文欄に、プリントサイズおよび注文枚数を直接記入して写真店に簡単且つ正確に依頼することができ、同プリント発注用インデックス兼用アルバムそれ自体が、プリント発注書類の役目を果たすことができ、発注ミスなどのトラブルの発生を各段に低減して、より迅速且つ経済的な写真プリントを実現可能とするものとなる。
【００２２】
さらに、この発明のプリント発注用インデックス兼用アルバムの作製方法によれば、写真店は顧客が店頭に持ち込むデジタル信号用記録メディアや、それ以外のデジタル信号用記録装置を付属した機器類などから、複数個のデジタル画像ファイルを電子的に読み取り、所定の手順に従って効率的且つ迅速に当該プリント発注用インデックス兼用アルバムを作製することができるようになり、業務用プリント機器にてプリントを終えたワンセット単位ページ紙の各単位ページ紙の必要箇所を直ちに折り畳み、必要箇所を貼着してアルバム本体となし、表表紙、背表紙、裏表紙一体型の装丁紙を貼着、一体化するようにし、通常のスピード仕上げの写真プリントと略同等の早さで顧客に提供することができるようになり、しかもインデックスプリントとアルバムとを兼ねるものであることから、顧客にとっては、通常の写真プリントをまとめて依頼する場合より、遙かに経済的で保管や携帯にも有利なものとすることができるという利点を得ることができる。
【００２３】
また、この発明のプリント発注用インデックス兼用アルバムの使用方法によれば、アルバム本体か、装丁紙かの何れか一方適所に収容部を一体的に形成し、該収容部に、プリントした各小画像と、それら小画像個々に割り当てた名称とに一致するデジタル画像ファイル群を一括記録した付録用記録メディア、および、矩形状の紙製のプリント注文表を組み合わせたものとするよう収容、添付されたものとすると、写真店にて当該プリント発注用インデックス兼用アルバムを受領した顧客は、デジタル画像表示用の機器を使用せず、即座に当該プリント発注用インデックス兼用アルバムを開いて各小画像を鑑賞することが可能となる上、収容部から付録用記録メディアを取り出してパソコンなどのデジタル機器類に各小画像のデーターを取り込むことが可能である外、同じく収容部から取り出したプリント注文表に、選択した各小画像のプリントサイズおよび注文枚数を記入して該付録用記録メディアと共に写真店に提出し、選択した各小画像の写真プリントやデザインアルバムのプリントなどを簡単且つ効率的に発注することができるという秀れた特徴を発揮するものとなる。                                                                                                          
【発明を実施するための最良の形態】
【００２４】
上記したとおりの構成からなるこの発明の実施に際し、その最良もしくは望ましい形態について説明を加えることにする。
アルバム本体は、アルバム機能限界サイズの小画像を高密度に集積、保管可能とし、且つ十分にアルバム写真として鑑賞できる画像を整然と配列、プリント表示してアルバムとしての機能を果たすと共に、各小画像の個々に対応する名称を表示して、インデックスプリントの役目も兼ねるものとなるという機能を有し、断面Ｖ字型に折り畳まれたプリント用紙からなるものであって、少なくとも２ページ分を形成する単位ページ紙の１枚以上からなり、各単位ページ紙に設定された単位プリント面に、アルバム機能限界サイズ（従来からのインデックス用に採用されてきたサイズは除かれ、それよりは大きく、身分証明書用写真として一般に使用される３０×４０ｍｍを標準とする。）の小画像群が、均等駒割り配置となるよう割り振られた小画像群表示領域と、該小画像群表示領域内の小画像個々の名称が表示された小画像名表示領域とがプリント表示されたものとしなければならず、複数のデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してワンセット単位ページ紙とし、それら全ての単位ページ紙は、その単位プリント面毎に谷折り構造とすることができ、全てのページを閉じた場合の縦寸法が１５０ｍｍないし１５５ｍｍ、横寸法を１５０ｍｍないし１５５ｍｍに設定されてなるものすつのが望ましい。
【００２５】
そして、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるアルバム本体とすることができる。
【００２６】
プリント用紙は、アルバム機能限界サイズの小画像群や、小画像個々の名称をアルバム写真として鑑賞可能な画質、品質でプリント表示可能であって、アルバム本体を形成する単位ページ紙を形成可能とするものであり、断面Ｖ字型か、その連続型かの何れか一つの折畳み型に折り畳み可能とするサイズに設定されたものとしなければならず、写真店などに設置される業務用プリント機器によって写真プリント可能な、材質、寸法、形状のものに設定されたものとすべきであるが、市販の各種プリンターに供給可能な用紙とすることも不可能ではなく、例えばレーザープリンター用紙、インクジェットプリンター用紙、または、写真フィルム用印画紙などとすることができる。
【００２７】
単位ページ紙は、アルバム本体を形成するワンセット単位ページ紙の、少なくとも２面分、または、表裏合計４面分のページ部分を形成可能とし、全てのページ面か、または、装丁紙の表表紙や裏表紙の内側面に貼着されて収容部を形成する場合などに除外されるページ面やページ範囲を除く、ページ面範囲に適宜設定された単位プリント領域に、小画像群表示領域および小画像名表示領域をプリント表示されたものとなるという機能を果たし、プリントの対象となる複数個のデジタル画像ファイルの記録順序に従って均等駒割り配置となる小画像群表示領域に割り振られ、それら小画像群表示領域内の小画像個々に夫々近接する適所には、該当小画像の名称が表示される小画像名表示領域を確保するようにプリントして単位プリント面とし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとしなければならず、それら１単位プリント面からなる単位ページ紙か、複数単位プリント面からなる単位ページ紙か、あるいはそれらの組合せからなる単位ページ紙かの何れかの１枚または複数枚の単位ページ紙とすることができる。
【００２８】
単位プリント領域は、ページ紙上の平坦な部分や、その谷折り線を跨ぐ範囲などの適所にアルバム機能限界サイズに調節された小画像の１８個ないし４０個内の何れか所定個数複数、均等駒割り配置するようプリント表示可能とする機能を果たし、プリント用紙の所定折畳み型にしたときの谷折り線を境として隣り合うこととなる少なくとも２面分のページ紙上に設定されたものとしなければならず、複数個のデジタル画像ファイルに基づく小画像群を、該複数個のデジタル画像ファイルの記録順序に従って均等駒割り配置となる小画像群表示領域に割り振り、それら小画像群表示領域内の小画像個々に夫々近接する適所には、該当小画像の名称が表示される小画像名表示領域を確保するようにプリントして単位プリント面としたものとすべきである。
【００２９】
単位プリント面は、単位ページ紙ページ紙上の平坦な部分や、その谷折り線を跨ぐ範囲などの適所にアルバム機能限界サイズに調節された小画像の１８個ないし４０個内の何れか所定個数複数、均等駒割り配置するようプリント表示可能とする小画像群表示領域、および、それら小画像群表示領域内の小画像個々に夫々近接する適所に、各小画像毎の名称が表示された小画像名表示領域を確保するようにプリント表示してなる機能を果たし、単位プリント領域に、小画像群表示領域および小画像名表示領域をプリント表示した面であるとすることができ、プリント用紙の所定折畳み型にしたときの谷折り線を境として隣り合うこととなる少なくとも２面分のページ紙上に設定されたものとしなければならず、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとすべきであり、１枚のページ紙に対し、１単位プリント面または複数単位プリント面を設定したしたものとすることができる。
【００３０】
ワンセット単位ページ紙は、アルバム本体一冊分となる１枚または複数枚の単位ページ紙の組み合わせを形成可能とする機能を果たし、ページ紙単位プリント領域内に複数個のデジタル画像ファイルに基づく小画像群表示領域と、それら小画像群表示領域内の小画像個々に夫々近接する適所に、各小画像毎の名称が表示される小画像名表示領域とを確保するようにプリントして単位プリント面となし、最初の該単位プリント面に収めきれなかった残りのデジタル画像ファイルがあれば、順次新たな単位プリント面を用意し、上記同様にプリント表示するようにして全てのデジタル画像ファイルが、その順番どおりに繋がる１単位プリント面または複数単位プリント面からなるものとされ、それら１単位プリント面からなる単位ページ紙か、複数単位プリント面からなる単位ページ紙か、あるいはそれらの組合せからなる単位ページ紙かの何れかの１枚または複数枚の単位ページ紙で、対象デジタル画像ファイル全てを記録順序どおりに整頓してなるものとしなければならず、それら全ての単位ページ紙は、その単位プリント面毎に谷折り構造になるものとすべきであり、複数単位プリント面からなる単位ページ紙だけは、当該谷折り構造同士の境界において山折り構造となし、該山折り構造とした箇所の裏面同士を予め貼り合わせた一枚状構造のものにしてしまった上、それら全ての単位プリント面が谷折り構造で連続状に連なるものとされたワンセット単位ページ紙を構成する１枚または複数枚の単位ページ紙が、順序どおり隣接配置して対峙する裏面同士を貼り合わせ、最終的に全ての単位ページ紙が、谷折り構造とした単位プリント面で連続状に連なるよう設定したものとするのが望ましい。
【００３１】
小画像群表示領域は、プリント用紙製ページ紙の少なくとも１単位プリント領域中に、プリント対象となる１８個ないし４０個内の何れか所定個数のデジタル画像ファイルに基づくアルバム機能限界サイズに調節した小画像群をプリント表示する領域を確保可能とする機能を果たすものであり、複数個のデジタル画像ファイルに基づき、互いに同一な縦横寸法２０×３３ないし４０×５０ｍｍの同一サイズに伸縮調整した各小画像が、単位プリント領域内に均等駒割り配置可能とする１８個ないし４０個内の何れか所定個数となるよう規制した小画像群をプリント表示し、当該小画像群表示領域内の小画像個々に夫々近接する適所には、該当小画像の名称が表示される小画像名表示領域を確保したものとしなければならず、各小画像同士は、隣接するもの同士が、間隔無く配列されたものとしたり、僅かに間隔をとって表示されたものとしたりすることができる外、各小画像に外枠を表示したものなどとすることが可能である。
【００３２】
小画像名表示領域は、小画像群表示領域内にプリント表示された各小画像個々に、各小画像毎に対応する名称を該当する小画像の名称であることが明確に理解できるようプリント表示可能とする機能を果たし、各小画像に対応するデジタル画像ファイルのファイル名と同一名称か、またはそれに関連づけた名称かの何れか一方の名称が表示されたものとしなければならず、小画像群表示領域内にプリントされた各小画像近傍の、夫々の同一位置にプリント表示されたものとすべきであり、各小画像の左右、上下何れかの近傍箇所か、または、各小画像上の左右、上下寄りの何れかに重なるよう設定したものとすることが可能であって例えば、後述する実施例に示すように、各小画像の下辺近傍に該当する名称をプリント表示したものとすることができる。
【００３３】
装丁紙は、アルバム本体の両がわに裏面のまま残る二面とその間で寄せ集め状となった谷折り線部分外がわとを包囲してアルバムとしての体裁を整えると共に、該アルバム本体を外がわから補強、保護可能とする機能を果たし、十分な強度を有する表表紙、背表紙、裏表紙からなるものとしなければならず、表面にプリントや印刷、ラベルの貼り付け、塗装などによって文字、色、画像、模様、イラストまたはマークあるいはそれらの組み合わせなどの様々な表示が可能であり、必要に応じて製造元や販売店などの所在地や名前、バーコードの表示などの表示欄、および、顧客が管理や保管用に自由に書き込むことのできるメモ記入欄などを表示、形成したものとすることができる。
【００３４】
収容部は、アルバム本体か、または装丁紙かの何れか適所に付録用記録メディアやプリント注文表などの該アルバム本体とは別体の付属品類を、収納状に一体化可能とする機能を果たすものであり、それら付録用記録メディアやプリント注文表などの付属品類の大きさに応じて適切な形状寸法に設定しなければならず、例えば後述する実施例に示すように、デジタル信号用記録メディアとしては大きい部類に入るＣＤ−ＲやＤＶＤなどを収容可能な縦横寸法に設定されたものとして、アルバム本体の何れかのページ紙に一体化したものとしたり、または、装丁紙の表表紙または裏表紙の何れか一箇所か、または、それらの複数箇所に適宜設けたものとすることができ、蓋の有る封筒型、蓋の無いポケット型、箱型、抽斗型、折り紙状包み紙型、爪や凹欠部への嵌め込み型など、様々な形態のものの中から適宜選択して設けられたものとすることができる。
【００３５】
プリント注文表は、当該アルバム本体にプリント表示された小画像群および小画像の名称、ならびにそれに対応するよう付録用記録メディアに記録された複数個のデジタル画像ファイルとを一致可能とし、個々のデジタル画像ファイルについてのプリントサイズおよび注文枚数を自由に記入、表示可能とする機能を果たし、矩形状の紙製であって各小画像名表示領域に表示の名称毎に、プリントサイズおよび注文枚数を記入可能な注文欄が表示されてなるものとしなければならず、付録用記録メディアと共に収容部に収容したものとすべきであり、後述する実施例に示すように、小画像数に応じて１枚または複数枚からなるものとし、小画像および名称のアルバム本体へのプリント順序、ならびに付録用記録メディアへの記録順序に一致した順番に各小画像毎の注文欄が印刷表示されたものとするのが望ましく、紙の形とする他に、当該付録用記録メディアにパソコンとプリンターとを用いて普通紙などに簡単にプリントアウト可能なテキストファイルとして記録したものとすることが可能である。
【００３６】
付録用記録メディアは、当該アルバム本体にプリント表示された小画像群および小画像の名称に対応する複数個のデジタル画像ファイルを、その順番に応じて電子的、磁気的、光学的、光磁気的など物理的に記録可能であって、電力の供給を受けずにその記録を保存可能で、しかも携帯容易なものとするという機能を果たし、アルバム本体にプリント表示された小画像群および小画像の名称の複数個のデジタル画像ファイルを、そのプリント順に従って一括保存したものとしなければならず、例えば各種ＣＤ（ｃｍｐａｃｔ  ｄｉｓｃ）や各種ＤＶＤ（ｄｉｇｉｔａｌ  ｖｅｒｓａｔｉｌｅ  ｄｉｓｃ）、各種ＭＯ（ｍａｇｎｅｔｏ  ｏｐｔｉｃａｌ  ｄｉｓｃ）、各種ＭＤ（ｍｉｎｉ  ｄｉｓｃ）、各種ＨＳ（ｈｙｐｅｒ  ｓｔｏｒａｇｅ）、各種ＦＤ（ｆｌｏｐｐｙ  ｄｉｓｋ）、ブルーレイディスク（ｂｌｕ−ｒａｙ  ｄｉｓｃ）、各種ＨＤＤ（ｈａｒｄ  ｄｉｓｋ  ｄｒｉｖｅ）などのディスク系記録メディアや、ＤＡＴ（ｄｉｇｉｔａｌ  ａｕｄｉｏ  ｔａｐｅ）ＤＶＴ（ｄｉｇｉｔａｌ  ｖｉｄｅｏ  ｔａｐｅ）などのテープ系記録メディア、または、各種メモリーカード、各種メモリースティックなどのＩＣチップを内蔵したフラッシュメモリー（ｆｌａｃｈ  ｍｅｍｏｒｙ）系記録メディアなどの何れかのリムーバブルメディアとすることができる。
【００３７】
デジタル信号用記録メディアや、それ以外のデジタル信号用記録装置を付属した機器類は、複数個のデジタル画像ファイルを記録および読み取りできる状態に保存可能であって、写真店の店頭まで直接搬送可能か、または、各種通信機器類などを介してインターネットや電話回線網などに接続して、該複数個のデジタル画像ファイルを目標とする端末機器に向けて送信可能とする機能を果たすものであり、複数個のデジタル画像ファイルを保存可能な各種リムーバブルメディア、または、パソコン、デジタルカメラ、携帯電話などの各種画像ファイルを記録可能な記憶装置を有する機器類の何れかであるということができ、より具体的に示すと、該デジタル信号用記録メディアは、基本的に前記付録用記録メディアと同様のものであるとすることができ、デジタル信号用記録装置を付属した機器類は、パソコンやデジタルカメラ、カメラ付き携帯電話などであるとすることができる。
【００３８】
デジタル画像ファイルは、各種デジタル信号用記録メディアや、それ以外のデジタル信号用記録装置を付属した機器類など、および、付録用記録メディアに記録、読み取り可能な状態に記録された画像単位のデジタル情報であり、そのファイル形式は、例えば、ＴＩＦＦ（ｔａｇｇｅｄ  ｉｍａｇｅ  ｆｉｌｅ  ｆｏｒｍａｔ），ＧＩＦ（ｇｒａｐｈｉｃｓ  ｉｎｔｅｒｃｈａｎｇｅ  ｆｏｒｍａｔ），ＰＮＧ（ｐｏｒｔａｂｌｅ  ｎｅｔｗｏｒｋ  ｇｒａｐｈｉｃｓ），ＪＰＥＧ（ｊｏｉｎｔ  ｐｈｏｔｏｇｒａｐｈｉｃ  ｅｘｐｅｒｔｓ  Ｇｒｏｕｐ），ＢＭＰ（ｍｉｃｒｏｓｏｆｔ  ｗｉｎｄｏｗｓ  ｂｉｔｍａｐ  ｉｍａｇｅ），ＸＰＭ（ｘ  ｗｉｎｄｏｗ  ｐｉｘｅｌ  ｍａｐ）などの外、様々な画像ファイル形式とすることができ、ファイル圧縮ソフトやファイル展開ソフトなどの追加内蔵や、動画ファイル形式のファイルとして保存された動画とすることなどが可能であり、動画ファイルとした場合には、アルバム本体にプリント表示する小画像が該動画中の任意の一場面である静止画像とすることができる。
また、このデジタル画像ファイルは、デジタルカメラやカメラ付き携帯電話など撮影当初に単位デジタル信号データとして作成されたものに留まらず、各種フィルムや写真プリントなどの画像を各種スキャナなどによって読み取り、作成した単位デジタル信号データとしたり、各種放送画像や録画画像、インターネットホームページなどから有料または無料（ロイヤリティフリー画像）で許諾を得て入手した写真、イラスト、動画中の静止画像などの単位デジタル信号データとすることができる。
【００３９】
写真店は、写真プリントの受注が可能な店舗はたは写真プリント工場などであり、それら以外には、例えばインターネット上のホームページに設置された仮想店舗などとすることが可能であり、何れの場合であっても、インターネットや電話回線網などの通信網を介して顧客からのデジタル画像ファイルの受信が可能である外、顧客からのデジタル信号用記録メディアを郵送や宅配便などを通じて受け取ることが可能である。
【００４０】
この発明のプリント発注用インデックス兼用アルバムの作製方法は、写真店は顧客が店頭に持ち込むデジタル信号用記録メディアや、それ以外のデジタル信号用記録装置を付属した機器類などから、電子的に読み取った複数個のデジタル画像ファイルに基づき、当該プリント発注用インデックス兼用アルバムを作製するものであるが、該写真店は、実際に存在する店舗の他に、写真店やプリント工場などが主催するインターネットホームページ上に設置された仮想店舗とすることが可能であり、各種通信網を通じて顧客からのデジタル画像ファイルを受信して受注することが可能である外、郵送や宅配便などを介してデジタル信号用記録メディアを受け取ることなどが可能である。
【００４１】
また、当該の作製方法は、デジタル信号用記録メディアや、それ以外のデジタル信号用記録装置を付属した機器類などから、電子的に読み取った複数個のデジタル画像ファイルに基づき、当該プリント発注用インデックス兼用アルバムを作製するものであるが、該複数個のデジタル画像ファイルの一部または全部のデジタル画像ファイルを、各種フィルムや写真プリントからスキャナなどを用いて読み取り、それによって得られたデジタル画像ファイルとすることや、または、インターネット上に公開された画像や、雑誌、図鑑、写真集などの書籍類、またはポスターなどに印刷された画像などより、著作権者より許諾を受けて複製または撮影し、作成されたデジタル画像ファイルとすることが可能であり、該複数個のデジタル画像ファイルの作成は、顧客か写真店か、写真プリント工場かの何れで行うことも可能である。
【００４２】
そして、この発明のプリント発注用インデックス兼用アルバムの使用方法は、写真店が顧客の持ち込むデジタル信号用記録メディアや、それ以外のデジタル信号用記録装置を付属した機器類などから、複数個のデジタル画像ファイルを電子的に読み取ることから始まるが、顧客が写真店に持ち込んだ写真プリントやフィルムその他の二次元画像などをスキャナやカメラなどを用いて光学的、電子的に読み取り、または撮影してデジタル画像ファイルを作成する段階から始めることが可能であり、さらにまた、写真店や写真プリント工場などが、顧客よりインターネットや電話回線などの通信網を通じて送信されたデジタル画像ファイルを受信して当該プリント発注用インデックス兼用アルバムを作成したり、写真店や写真プリント工場などが、顧客から郵送、宅配便などの利用で発送されたデジタル信号用記録メディアを受け取り、該デジタル信号用記録メディアに記録してあるデジタル画像ファイルに基づき、当該プリント発注用インデックス兼用アルバムを作成したりすることができる。
【００４３】
さらに、当該プリント発注用インデックス兼用アルバムの使用方法は、完成したアルバム本体に付録用記録メディアおよびプリント注文表を組み合わせて顧客に提供するものとしているが、写真店の店頭にて顧客に直接引き渡すだけでなく、郵便や宅配便などで発送することが可能であり、当該プリント発注用インデックス兼用アルバムを受け取った顧客は、直接店頭に行き付録用記録メディアおよび注文内容を記入したプリント注文表を提出してプリント注文することが可能でる外、例えばＤＶＤ−ＲＷ（ｄｉｇｉｔａｌ  ｖｅｒｓａｔｉｌｅ  ｄｉｓｃ  ｒｅｗｒｉｔａｂｌｅ）やＣＤ−ＲＷ（ｃｏｍｐａｃｔ  ｄｉｓｃ  ｒｅｗｒｉｔａｂｌｅ）のような書き込み可能な付録用記録メディアに、複数個のデジタル画像ファイルに加え、注文内容入力済みのプリント注文表のテキストファイルを記録して当該付録用記録メディアのみを写真店の店頭に提出するか、または郵送または宅配便などを通じて発送するかして写真プリントなどの発注が可能であり、さらに、注文内容を入力済みプリント注文表のテキストファイルを記録した当該付録用記録メディアの記録データの全体を、インターネットや電話回線網などの通信網を通じて写真店や写真プリント工場に送信して写真プリントの発注をすることなどが可能である。
以下では、図面に示すこの発明を代表する実施例と共に、その構造について詳述することとする。                                                                                                            
【実施例１】
【００４４】
図１の小画像群をプリントしたプリント紙の平面図、図２の谷折り線で折り畳まれるページ紙の斜視図、図３の裏面同士を貼り合わせる２枚のページ紙の斜視図、図４の分解状態のアルバム本体と装丁紙との斜視図、図５の完成したプリント発注用インデックス兼用アルバムの斜視図、図６の付録用記録メディアとプリント注文表とを組み込むプリント発注用インデックス兼用アルバムの斜視図、図７のプリント注文表の平面図、図８の分解状態にある中綴じ製本のプリント発注用インデックス兼用アルバムの斜視図、図９分解状態にある複数単位プリント面からなる単位ページ紙のプリント発注用インデックス兼用アルバムの斜視図、および、図１０の製本を完了したプリント発注用インデックス兼用アルバムの斜視図に示す事例は、所定サイズのプリント用紙２の谷折り線２４を境とした２面分を単位プリント領域３としたページ紙２０に対し、該単位プリント領域３内に複数個のデジタル画像ファイルに基づくアルバム機能限界サイズの小画像群４０が割り振られた小画像群表示領域４を設け、各小画像４１個々の近接適所に、該当小画像４１の名称５０が表示される小画像名表示領域５を確保するようプリントして単位プリント面３０とし、当該画像ファイルの順番どおりに繋がる単位ページ紙２１に整頓し、全ての単位プリント面３０が谷折り２４構造で連続状に連なるものとしたワンセット単位ページ紙２６を有したアルバム本体１１とし、表表紙７０、背表紙７１、裏表紙７２一体型の装丁紙７が装着、一体化されてなるものとしてなるものとした、この発明のプリント発注用インデックス兼用アルバムにおける代表的な一実施例を示すものである。
以下では、この発明のプリント発注用インデックス兼用アルバムの作製方法一例に従い、順次プリント発注用インデックス兼用アルバム１の構造を示して行くこととする。
【００４５】
デジタルカメラやカメラ付き携帯電話などを利用して多数の画像を撮影した顧客は、デジタルカメラや携帯電話から取り出したフラッシュメモリなどのデジタル信号用記録メディアか、または、デジタルカメラや携帯電話それ自体であるデジタル信号用記録装置を付属した機器類かの何れかを写真店の店頭に持ち込むこととなり、プリントの依頼を受けた写真店は、該デジタル信号用記録メディアや、それ以外のデジタル信号用記録装置を付属した機器類に記録されている複数個のデジタル画像ファイルを業務用プリント機器に接続された端末機器に読み取り、当該業務用写真プリント機器によって次のようなプリント作業を行う。
【００４６】
当該写真プリント機に装填された幅１４５ｍｍのロール状プリント用紙２は、図１に示すように、縦１４５ｍｍ、横１５５ｍｍを１ページとし、縦１４５ｍｍ、横３１０ｍｍの見開き２ページ分相当としたページ紙２０を１単位ページ紙２１とするよう設定し、そのプリント面の全面が１単位プリント領域３に設定したものとする。
【００４７】
次に、当該複数個のデジタル画像ファイルから再生した各画像を縦２９ｍｍ、横４３ｍｍの同一寸法に伸縮調整し、１ページに付き縦４駒、横３駒、見開き２ページ当たり合計２４駒分の小画像４１，４１，……とし、該１単位ページ紙２１の１単位プリント領域３上に設定された小画像群表示領域４に、当該デジタル信号用記録メディアや、それ以外のデジタル信号用記録装置を付属した機器類の記録順序に従って、該単位プリント領域３上端から下端に向かう縦方向の行列状となり、しかも同単位プリント領域３左端から右端に向け、順次縦横均等駒割り配置状とするよう小画像群４０を配列状に割り振りプリント表示したものとし、それら小画像群４０のプリントと同時に、それら小画像群表示領域４内であって小画像４１，４１，……個々の直下付近には、該当小画像４１，４１，……の基となる前記デジタル信号用記録メディアや、それ以外のデジタル信号用記録装置を付属した機器類に記録されたデジタル画像ファイルのファイル名と同一名称５０，５０，……を表示して小画像名表示領域５を確保するようにプリントして単位プリント面３０を形成する。
【００４８】
各１単位ページ紙２１，２１，……は、夫々のプリントを終えた後に、順次プリント用紙２から縦１４５ｍｍ横、横３１０ｍｍの見開き２ページ分相当毎の矩形紙に裁断されたものとするか、プリント前の段階でプリント用紙２より縦１４５ｍｍ横、横３１０ｍｍの見開き２ページ分相当毎の矩形紙に裁断して置いたものとするかの何れか一方の作業手順を踏むことができる。
【００４９】
図１ないし図４中に示すように、最初の該単位プリント面３０に収めきれなかった残りのデジタル画像ファイルがあれば、順次新たな１単位ページ紙２１単位プリント領域３を用意し、上記同様にプリント表示して新たな単位プリント面３０を形成し、当該デジタル信号用記録メディアや、それ以外のデジタル信号用記録装置を付属した機器類に記録された全てのデジタル画像ファイルが、その順番どおりに繋がる１単位プリント面３０，３０，……からなるものとし、それら１単位プリント面３０，３０，……からなる１単位ページ紙２１，２１，……の複数枚が、対象デジタル画像ファイル全てを記録順序どおりに整頓するよう配置してワンセット単位ページ紙２６とする。
該ワンセット単位ページ紙２６は、下記表１中に示すような駒割りで２５ページ（１単位ページ紙２１，２１，……が１２ないし１３枚）前後とし、最大５００駒のプリントがなされたものとするのが望ましい。                                                                                            
【表１】
2010072601.tif 000003
【００５０】
図２中の白抜き矢印に示すように、それら全ての１単位ページ紙２１，２１，……は、各単位プリント面３０，３０，……毎が、その横幅中央（左右端から夫々１５５ｍｍの位置）で断面Ｖ字型の谷折り構造になるよう折り曲げたものとしてから、図３中の白抜き矢印、および図４中に示すように、対象デジタル画像ファイルの記録順序どおりに隣接配置し、各１単位ページ紙２１，２１，……の対峙する裏面２３，２３同士間に、薄型の両面粘着フィルムか、粘着剤層かの何れか一方の粘着層６を挟み込み、当接して貼り合わせ、最終的に全ての１単位ページ紙２１，２１，……が、谷折り構造とした単位プリント面３０，３０，……で連続状に連なるアルバム本体１１とし、同図４中に示すように、該アルバム本体１１の表がわと裏がわとの双方に露出状に残っている１単位ページ紙２１，２１の各１ページ分相当の裏面２３，２３と、その間で寄せ集め状となった谷折り線２４，２４，……部分外がわとに、表表紙７０、背表紙７１、裏表紙７２一体型の装丁紙７が、粘着層６，６を介して所謂タイトバックまたはホールバックの何れかの形態をなすよう貼着、一体化するよう装丁し、図５中に示すように、当該プリント発注用インデックス兼用アルバム１を作製する。
【００５１】
さらに、図６中に示すように、当該プリント発注用インデックス兼用アルバム１の最終ページとなる１単位ページ紙２１の単位プリント面３０には、予め小画像群表示領域４および小画像名表示領域５を設けず、空白ページとして置き、縦１３３ｍｍ、横１３２ｍｍの紙製、上部蓋付き封筒からなる収容部８を、図示しない粘着層を介して貼着一体化したものとし、該収容部８には、顧客が店頭に持ち込んだデジタル信号用記録メディアや、それ以外のデジタル信号用記録装置を付属した機器類に記録された複数個のデジタル画像ファイルを、当該プリント発注用インデックス兼用アルバム１の各１単位ページ紙２１，２１，……各単位プリント面３０，３０，……にプリントした小画像群表示領域４の各小画像４１，４１，……と、それら小画像４１，４１，……個々に割り当てた小画像名表示領域５にプリントされた名称５０，５０，……とに一致するデジタル画像ファイル群として一括記録したＤＶＤ（付録用記録メディア）８０と共に、矩形状の紙製であって各小画像名表示領域５に表示の名称５０，５０，……毎に、プリントサイズおよび注文枚数が記入可能な注文欄８２の表示されてなるプリント注文表８１を組み合わせたものとするよう収容したものとする。
【００５２】
図６中に示した、当該付録用記録メディア８０は、読み取り専用のメディアとする他に、書き込み編集可能なメディアを利用することが可能であり、例えば、前記複数個のデジタル画像ファイルに加えて、プリント注文表８１のテキストファイルを記録したものとすることができる。
【００５３】
また、当該プリント発注用インデックス兼用アルバム１は、図８中に示すように、各単位ページ紙２１，２１，……の各単位プリント領域３，３，……への、小画像群表示領域４および小画像名表示領域５の配置を適正に設定することで、プリントされた全ての小画像４１，４１，……ならびに各名称５０，５０，……の表示順番が、デジタル信号用記録メディアや、それ以外のデジタル信号用記録装置を付属した機器類などに記録されている複数個のデジタル画像ファイルの記録順に一致するようプリント表示されてなるものとした、所謂中綴じ型に製本することが可能である。
【００５４】
さらにまた、当該プリント発注用インデックス兼用アルバム１は、図９中に示すように、ロール状のプリント用紙２に裁断することなく見開き２ページ分の単位ページ紙２１，２１，……を複数枚分、連続状のままにプリントし、全ての小画像４１，４１，……および各名称５０，５０，……の表示順番が、デジタル信号用記録メディアや、それ以外のデジタル信号用記録装置を付属した機器類などに記録されている複数個のデジタル画像ファイルの記録順に一致するようプリント表示されたものとし、複数単位プリント面３０，３０，……からなる１枚の単位ページ紙２１を形成し、縦１４５ｍｍ横、横３１０ｍｍの各単位プリント面３０，３０，……の、横１５５ｍｍとなる中央で谷折り（谷折り線２４，２４，……）とすると共に、各単位プリント面３０，３０，……同士の境界において山折り（山折り線２５，２５，……）となし、それら全ての単位プリント面３０，３０，……がワンセット単位ページ紙２６を形成するものとし、該ワンセット単位ページ紙２６の各山折り（山折り線２５，２５，……）構造とした箇所の各単位ページ紙２１，２１，……の裏面２３，２３同士間に、同図９の白抜き矢印に示すように、夫々薄型の両面粘着フィルムか、粘着剤層かの何れか一方の粘着層６を挟み込み接合して貼り合わせ、一枚状構造のものにして単位プリント面３０，３０，……で連続状に連なるアルバム本体１１とし、該アルバム本体１１の表がわと裏がわとの双方に露出状に残っている単位ページ紙２１の各１ページ分相当の裏面２３，２３と、その間で寄せ集め状となった谷折り線２４，２４，……部分外がわとに、表表紙７０、背表紙７１、裏表紙７２一体型の装丁紙７が、粘着層６，６を介して所謂タイトバックまたはホールバックの何れかの形態をなすよう貼着、一体化するよう装丁し、図１０中に示すように、当該プリント発注用インデックス兼用アルバム１を作製することが可能である。
【００５５】
（実施例１の作用）
以上のとおりの作製方法によって作製されたこの発明のプリント発注用インデックス兼用アルバム１は、以下のような使用方法に用いることが可能である。
写真店は顧客が店頭に持ち込んだデジタルカメラやカメラ付き携帯電話のフラッシュメモリなどのデジタル信号用記録メディアや、ノートパソコンやデジタルカメラ、カメラ付き携帯などのデジタル信号用記録装置を付属した機器類から、顧客が撮り貯めた複数個のデジタル画像ファイルをプリント機器に接続された端末機器に読み取り、この読み取り作業を終えた後には、直ちに当該デジタル信号用記録メディアや、デジタル信号用記録装置を付属した機器類を顧客に返却することが可能である。
【００５６】
当該写真店は、一旦、端末機器に複数個のデジタル画像ファイルを読み込んだ後、該端末機器に制御可能に接続されている業務用写真プリント機器によって前記実施例１に示した条件の下、図１ないし図４中に示すように、プリント用紙２の単位ページ紙２１，２１，……単位プリント領域３毎に小画像群表示領域４および小画像名表示領域５を、当該記録メディアに記録されていた順番に従い、順次プリント表示されたものとし、且つ各１単位ページ紙２１，２１，……毎に裁断してワンセット単位ページ紙２６としてから、各１単位ページ紙２１，２１，……の対峙する裏面２３，２３同士間に、粘着層６を挟み込み貼り合わせしてアルバム本体１１を形成する。
【００５７】
該アルバム本体１１の表がわと裏がわとの双方に露出状に残っている裏面２３，２３と、その間で寄せ集め状となった谷折り線２４，２４，……部分外がわとに、表表紙７０、背表紙７１、裏表紙７２一体型の装丁紙７が、粘着層６，６を介して貼着するよう装丁して、図５中に示すような当該プリント発注用インデックス兼用アルバム１を作製するようにする。
【００５８】
さらに、当該写真店では、当該プリント発注用インデックス兼用アルバム１の作製に平行して、当該デジタル信号用記録メディアや、それ以外のデジタル信号用記録装置を付属した機器類から読み込んだ複数個のデジタル画像ファイルを、その順番通りに一括記録した付録用記録メディア８０を作製すると共に、図７中に示すように、該付録用記録メディア８０に記録した複数個のデジタル画像ファイルの名称５０，５０，……毎に、プリントサイズおよび注文枚数が記入可能な注文欄８２の表示されたプリント注文表８１を作製した上、図６中に示すように、当該プリント発注用インデックス兼用アルバム１の予め空白ページとした最終ページに貼着した収容部８に、該付録用記録メディア８０およびプリント注文表８１を収納したものとして、前記複数個のデジタル画像ファイルの読み取り作業開始から凡そ１時間前後で完成するものとなる。
【００５９】
このようにして迅速に完成されたプリント発注用インデックス兼用アルバム１は、受注から２時間後にはインデックスプリントとアルバムとの双方の機能を果たすものとし、当該顧客に店頭渡しにて提供することが可能となり、これを受領した顧客は、図５および図６中に示すように、該プリント発注用インデックス兼用アルバム１の各小画像４１，４１，……ならびに各小画像４１，４１，……に対応する各名称５０，５０，……に基づいて、図７中の小波線円に示すように、プリント注文表８の注文欄８２にプリントサイズや枚数を記入してから、当該付録用記録メディア８０に同プリント注文表８を添付して再び写真店にプリント依頼することが可能となり、各種サイズのプリントやアルバムその他、様々なプリントや画像処理、またはデジタル画像アルバムなどの製作依頼が簡単に行えるようになる。
【００６０】
（実施例１の効果）
以上のような構成からなる実施例１のプリント発注用インデックス兼用アルバム１、およびその作製方法にて、前記この発明の効果の項で記載の特徴に加え、図３および図４中に示すように、各１単位ページ紙２１，２１，……の隣接状配置となる裏面２３，２３同士間に両面粘着フィルムか、または粘着剤層かの何れか一方からなる粘着層６を挟み込み状として貼着、一体化し、アルバム本体１１の各ページ毎の厚みと剛性とを各段に高め、アルバムとしての質感を向上することが可能となるものであり、同様の効果は、図９に示すように、複数単位プリント面３０，３０，……からなる１枚の単位ページ紙２１を各単位プリント面３０，３０，……の中央で谷折り（谷折り線２４，２４，……）し、各単位プリント面３０，３０，……同士の境界で山折り（山折り線２５，２５，……）し、各山折り（山折り線２５，２５，……）構造とした各単位ページ紙２１，２１，……裏面２３，２３同士間に、粘着層６を挟み込み接着してアルバム本体１１としたものの場合にも、同様に該アルバム本体１１の各ページ毎の厚みおよび剛性を各段に高め、質感を向上したものとすることができるという利点を得ることができる。
【００６１】
加えて、実施例１の作用の項に示したプリント発注用インデックス兼用アルバムの使用方法のように、図６中に示してある当該付録用記録メディア８０がＤＶＤ−ＲＷやＣＤ−ＲＷその他の書き込み編集可能なメディアであって、複数個のデジタル画像ファイルに加えて、プリント注文表８１のテキストファイルが記録されたものとした場合には、当該プリント発注用インデックス兼用アルバム１を受領した顧客が、パソコンなどを利用して、図７中に示すプリント注文表８１のテキストファイルを開き、その注文欄８２に、パソコンのキーボードやマウスなどの入力機器類を介して、プリントサイズやプリント枚数などを記入した後、同記入済みのプリント注文表８１のテキストファイルを該付録用記録メディア８０に保存した上、該付録用記録メディア８０だけを写真店に持ち込み、プリント注文することが可能となり、顧客および写真店が共に、当該付録用記録メディア８０だけを取り扱うようにしてプリント注文表８１用の紙の使用量を削減することができる上、プリント注文表８１の紛失や破損などのトラブルを防止して保管および管理を一段と容易なものにすることができるという秀れた効果を得ることができる。
【００６２】
（結  び）
叙述の如く、この発明のプリント発注用インデックス兼用アルバム、ならびにその作製方法およびその使用方法は、その新規な構成によって所期の目的を遍く達成可能とするものであり、しかも製造も容易で、写真店や写真プリント工場などに既存の業務用写真プリント機器をそのまま利用して簡便且つ迅速に製造可能である上、従前までのインデックスプリントに比較して各段に高品質なものとして付加価値を高めることができ、従前までのデザインアルバムなどよりも各段に低廉に大量の写真画像をプリントすることができ、携帯性や保管性にも秀れ、遥かに経済的なものとすることができることから、デジタルカメラなどを使って、これまで大量の写真を撮り貯めてきたが、その数が多過ぎて管理できなくなってしまい、プリントする画像を選ぶのにも困り果てていた人々にとって朗報となり、従前までは、こうした顧客の大量の写真を一挙にプリントするには多額の費用を請求せざるを得ず、なかなかプリントの注文まで漕ぎ着けることが困難な状況となっていた写真店や、写真プリント工場なども、インデックスプリントおよびアルバムの機能を兼ね備え、低価格にて大量の画像をプリントすることができるようになり、さらに、次回以降の顧客からのアルバム作りや拡大プリントなどの発注促進にも好材料となって、写真業界において高く評価され、広範に渡って利用、普及していくものになると予想される。                                                                      
【図面の簡単な説明】
【００６３】
図面は、この発明のプリント発注用インデックス兼用アルバム、ならびにその作製方法およびその使用方法の技術的思想を具現化した代表的な幾つかの実施例を示すものである。
【図１】小画像群をプリントしたプリント紙を示す平面図である。
【図２】谷折り線を折り畳んだページ紙を示す斜視図である。
【図３】２枚のページ紙の裏面同士を貼り合わせる作業を示す斜視図である。
【図４】分解状態のアルバム本体と装丁紙とを示す斜視図である。
【図５】プリント発注用インデックス兼用アルバムを示す斜視図である。
【図６】付録用記録メディアとプリント注文表とを組み込んだプリント発注用インデックス兼用アルバムを示す斜視図である。
【図７】プリント注文表を示す平面図である。
【図８】製作途中の一部に変更を加えたプリント発注用インデックス兼用アルバムを示す斜視図である。
【図９】製作途中の一部に他の変更を加えたプリント発注用インデックス兼用アルバムを示す斜視図である。
【図１０】プリント発注用インデックス兼用アルバムを示す斜視図である。
【符号の説明】
【００６４】
１      プリント発注用インデックス兼用アルバム
１１    同  アルバム本体
２      プリント用紙
２０    同  ページ紙
２１    同  単位ページ紙
２２    同  表面
２３    同  裏面
２４    同  谷折り線
２５    同  山折り線
２６    同  ワンセット単位ページ紙
３      単位プリント領域
３０    同  単位プリント面
４      小画像群表示領域
４０    同  小画像群
４１    同  小画像
５      小画像名表示領域
５０    同  小画像の名称
６      粘着層
７      装丁紙
７０    同  表表紙
７１    同  背表紙
７２    同  裏表紙
８      収容部
８０    同  付録用記録メディア
８１    同  プリント注文表
８２    同  注文欄                                                                                              
【図１】
2010072601.tif 000004
【図２】
2010072601.tif 000005
【図３】
2010072601.tif 000006
【図４】
2010072601.tif 000007
【図５】
2010072601.tif 000008
【図６】
2010072601.tif 000009
【図７】
2010072601.tif 000010
【図８】
2010072601.tif 000011
【図９】
2010072601.tif 000012
【図１０】
2010072601.tif 000013